(57)【要約】【課題】種々の形状の屋根に対応可能な覆部材を備えた採光装置の提供【解決手段】  採光装置１は、屋根Ｒに取り付けられる取付手段５と、取付手段５に取り付けられて太陽からの光を導入するための採光手段２と、採光手段２からの光を所定方向へ導くための筒状の導光手段３と、導光手段３により導かれた光を屋内に照射するための照射手段４と、屋根Ｒに取り付けられる覆部材６と、を備える。覆部材６は、屋根Ｒに設けられた一対の山部Ｒ１１に装着される一対の支持部材７と、一対の支持部材７に掛け渡されて谷部Ｒ１２を上方から覆うカバー手段６０と、を備える。支持部材７は略トップハット型断面を有し、カバー手段６０を下方から支持する上面部７１と、上面部７１の両側端部から下方に延びる一対の側面部７２と、側面部の下端から外方に延びて山部Ｒ１１に支持される一対の下面部７３と、を有する。【選択図】図２
2015159001.tif 000002
【特許請求の範囲】
【請求項１】
屋根に取り付けられる取付手段と、前記取付手段に取り付けられて太陽からの光を導入するための採光手段と、前記採光手段からの光をその内面で反射させながら所定方向へ導くための筒状の導光手段と、前記導光手段により導かれた光を屋内に照射するための照射手段と、前記屋根に取り付けられる覆手段と、を備え、
前記覆手段は、前記屋根に設けられた一対の山部の各々に装着される一対の支持部材と、前記一対の支持部材に掛け渡されて前記一対の山部の間に規定された谷部を上方から覆うカバー手段と、を備え、
前記一対の支持部材の各々は、略トップハット型断面を有し、前記カバー手段を下方から支持する上面部と、前記上面部の両側端部から下方に延びる一対の側面部と、前記一対の側面部の下端から外方に延びて前記山部に支持される一対の下面部と、を有することを特徴とする採光装置。
【請求項２】
前記支持部材には、前記上面部と前記一対の側面部により収容部が規定され、前記収容部には、前記山部の頂部から突出する突出部が収容されることを特徴とする請求項１に記載の採光装置。
【請求項３】
前記カバー手段は、前記一対の支持部材に固定される一対の位置決め部材と、前記一対の位置決め部材の間に掛け渡される支持プレート部材と、を備え、
前記一対の位置決め部材の各々は、略Ｌ字型断面を有し、前記支持部材の前記上面部に支持される支持部と、前記支持部の外側側端部から上方に延出する位置決め部と、を有し、
前記支持プレート部材は、その両側端部が前記一対の位置決め部材の前記位置決め部に当接されて位置決めされることを特徴とする請求項１又は２に記載の採光装置。
【請求項４】
前記支持部材は、第１螺着部材が前記一対の底面部のうち前記谷部側に位置する内側底面部を通して前記山部に螺着されることにより前記山部に固定され、第２螺着部材が前記支持プレート部材及び前記位置決め部材を通して前記上面部に螺着されることにより前記支持プレート部材及び前記位置決め部材に固定されることを特徴とする請求項３に記載の採光装置。
【請求項５】
前記カバー手段は更に、前記支持プレート部材により下方より支持されるパネル部材を備え、前記パネル部材は矩形状かつ平板状に構成され、前記パネル部材の両側端部にはそれぞれ、外側斜め下方に延びる帯状のカバー部が設けられ、前記支持プレート部材には略平行に延びる凹部及び突出部が交互に形成されていることを特徴とする請求項３又は４に記載の採光装置。
【請求項６】
前記パネル部材の前記カバー部と前記山部の外側側面との間にはばたつき防止部材が設けられ、前記ばたつき防止部材は、下方部位と上方部位とを有し、前記下方部位は、断面略コ字型に形成され、前記カバー部に固定される固定部と、前記固定部の下端部から前記山部に向かって延出する底部と、前記固定部の上端部から前記山部に向かって延出する上部と、を有し、前記上方部位は、前記下方部位の前記上部の一端部から上方に延出し、
前記カバー部は、第３螺着部材が前記上方部位を通して前記山部の前記外側側面に螺着されることにより前記山部に固定され、第４螺着部材が前記カバー部を通して前記下方部位の前記固定部に螺着されることにより前記カバー部に固定されることを特徴とする請求項５に記載の採光装置。
【請求項７】
屋根に取り付けられる取付手段と、前記取付手段に取り付けられて太陽からの光を導入するための採光手段と、前記採光手段からの光をその内面で反射させながら所定方向へ導くための筒状の導光手段と、前記導光手段により導かれた光を屋内に照射するための照射手段と、前記屋根に取り付けられる覆手段と、を備え、
前記覆手段は、前記屋根に固定される一対の支持部材と、前記一対の支持部材に掛け渡されて支持されるカバー手段と、を備え、
前記一対の支持部材の各々は、略トップハット型断面を有し、前記カバー手段を下方から支持する上面部と、前記上面部の両側端部から下方に延びる一対の側面部と、前記一対の側面部の下端から外方に延びる一対の下面部と、を有し、前記上面部と前記一対の側面部により収容部が規定され、
前記一対の支持部材の各々は、前記屋根に設けられた一対の山部の各々が前記収容部に収容されるように、前記一対の山部の各々に対応させて取り付けられることを特徴とする採光装置。
【請求項８】
覆部材を屋根に形成された一対の山部に設置する覆部材設置方法であって、略Ｌ字状断面を有する一対の位置決め部材を前記一対の山部に固定させる工程と、前記一対の位置決め部材に支持プレート部材を掛け渡し、前記支持プレート部材を前記一対の位置決め部材に固定させる工程と、矩形状且つ平板状に構成されたパネル部材を前記支持プレート部材に固定させる工程と、を備え、前記山部の頂部に突出部が形成されている場合には、略トップハット型断面を有する支持部材を前記山部の頂部に装着させた後に、前記位置決め部材を前記支持部材を介して前記山部に固定させ、前記山部の頂部に突出部が形成されていない場合には、前記位置決め部材を前記山部に載置して固定させることを特徴とする蓋部材取付方法。
【請求項９】
屋根に取り付けられる取付手段と、前記取付手段に取り付けられて太陽からの光を導入するための採光手段と、前記採光手段からの光をその内面で反射させながら所定方向へ導くための筒状の導光手段と、前記導光手段により導かれた光を屋内に照射するための照射手段と、を備え、
前記導光手段は、筒状部材と、筒状部材の一端側開口部を封止する網入りガラス枠と、を備えることを特徴とする採光装置。
【請求項１０】
屋根に取り付けられる取付手段と、前記取付手段に取り付けられて太陽からの光を導入するための採光手段と、前記採光手段からの光をその内面で反射させながら所定方向へ導くための筒状の導光手段と、前記導光手段により導かれた光を屋内に照射するための照射手段と、を備え、
前記取付手段は、導光手段を挿通させるための挿通孔が形成されたベース部と、前記挿通孔の周縁部から起立する支持部と、を備え、
前記導光手段は、筒状部材と、前記支持部に装着可能に構成されたキャップ状のアダプタ部材と、を備え、前記アダプタ部材は平板状の天板を有し、前記天板には円形状の開口部が形成され、
前記筒状部材は前記天板の前記開口部に挿通された状態で前記アダプタ部材に固定支持されていることを特徴とする採光装置。
【発明の詳細な説明】
【技術分野】
【０００１】
本発明は、採光装置に関し、特に屋根への設置を容易に行うことが可能な覆部材を備える採光装置に関する。
【背景技術】
【０００２】
従来より、太陽からの光を屋内へ導入して屋内を照明するための採光装置が実用に供されている。また、省エネルギー化及び環境問題の観点から、例えば工場や倉庫、店舗等の建物に採光装置を施工するケースが増加している。このような建物の屋根には山部及び谷部が交互に形成されており、採光装置の取付は次の様に行われる。
【０００３】
まず、屋根に貫通孔を穿設する。ボックス状のカバー部材を貫通孔に上方より挿入し、貫通孔の周縁部に支持させる。カバー部材を上方から覆うように取付部材を屋根の一対の山部に固定し、筒状部材を取付部材の開口部及びカバー部材の開口部を通して上方より挿入して装着させる。その後、ドーム部材を取付部材の上端部に装着させる。
【０００４】
採光装置をこのように設置すると、採光装置を支持する一対の山部の間に設けられた谷部は、採光装置により遮られるようになる。その結果、水上側から山部を流れる雨水は採光装置により堰き止められることとなり、雨漏りの原因となる。このような問題を回避するため、取付部材の水上側及び水下側には、谷部を上方から覆うようにパネル部材が設置され、谷部への雨水の浸入を防止している（例えば、特許文献１参照）。
【先行技術文献】
【特許文献】
【０００５】
【特許文献１】特開第２０１２−１３６８５５号公報
【発明の概要】
【発明が解決しようとする課題】
【０００６】
しかしながら、屋根には様々な種類があり、屋根に設けられる山部の形状も大きさも一律でないことから、個々の屋根に合わせてパネル部材の部品や設置手順を変えていく必要があった。そのため、パネル部材を効率的に設置することができず、採光装置の設置にかかる作業を煩雑にさせる一因となっていた。
【０００７】
本発明の目的は、種々の形状の屋根に対応可能な覆部材を備えた採光装置の提供を目的とする。
【０００８】
本発明の他の目的は、容易に設置可能な採光装置の提供を目的とする。
【課題を解決するための手段】
【０００９】
請求項１に記載の発明は、屋根に取り付けられる取付手段と、前記取付手段に取り付けられて太陽からの光を導入するための採光手段と、前記採光手段からの光をその内面で反射させながら所定方向へ導くための筒状の導光手段と、前記導光手段により導かれた光を屋内に照射するための照射手段と、前記屋根に取り付けられる覆手段と、を備える採光装置であって、前記覆手段は、前記屋根に設けられた一対の山部の各々に装着される一対の支持部材と、前記一対の支持部材に掛け渡されて前記一対の山部の間に規定された谷部を上方から覆うカバー手段と、を備え、前記一対の支持部材の各々は、略トップハット型断面を有し、前記カバー手段を下方から支持する上面部と、前記上面部の両側端部から下方に延びる一対の側面部と、前記一対の側面部の下端から外方に延びて前記山部に支持される一対の下面部と、を有することを特徴とする。
【００１０】
請求項２に記載の採光装置は、前記支持部材には、前記上面部と前記一対の側面部により収容部が規定され、前記収容部には、前記山部の頂部から突出する突出部が収容されることを特徴とする。
【００１１】
請求項３に記載の採光装置は、前記カバー手段は、前記一対の支持部材に固定される一対の位置決め部材と、前記一対の位置決め部材の間に掛け渡される支持プレート部材と、を備え、前記一対の位置決め部材の各々は、略Ｌ字型断面を有し、前記支持部材の前記上面部に支持される支持部と、前記支持部の外側側端部から上方に延出する位置決め部と、を有し、前記支持プレート部材は、その両側端部が前記一対の位置決め部材の前記位置決め部に当接されて位置決めされることを特徴とする。
【００１２】
請求項４に記載の採光装置は、前記支持部材は、第１螺着部材が前記一対の底面部のうち前記谷部側に位置する内側底面部を通して前記山部に螺着されることにより前記山部に固定され、第２螺着部材が前記支持プレート部材及び前記位置決め部材を通して前記上面部に螺着されることにより前記支持プレート部材及び前記位置決め部材に固定されることを特徴とする。
【００１３】
請求項５に記載の採光装置は、前記カバー手段は更に、前記支持プレート部材により下方より支持されるパネル部材を備え、前記パネル部材は矩形状かつ平板状に構成され、前記パネル部材の両側端部にはそれぞれ、外側斜め下方に延びる帯状のカバー部が設けられ、前記支持プレート部材には略平行に延びる凹部及び突出部が交互に形成されていることを特徴とする。
【００１４】
請求項６に記載の採光装置は、前記パネル部材の前記カバー部と前記山部の外側側面との間にはばたつき防止部材が設けられ、前記ばたつき防止部材は、下方部位と上方部位とを有し、前記下方部位は、断面略コ字型に形成され、前記カバー部に固定される固定部と、前記固定部の下端部から前記山部に向かって延出する底部と、前記固定部の上端部から前記山部に向かって延出する上部と、を有し、前記上方部位は、前記下方部位の前記上部の一端部から上方に延出し、前記カバー部は、第３螺着部材が前記上方部位を通して前記山部の前記外側側面に螺着されることにより前記山部に固定され、第４螺着部材が前記カバー部を通して前記下方部位の前記固定部に螺着されることにより前記カバー部に固定されることを特徴とする。
【００１５】
請求項７に記載の採光装置は、屋根に取り付けられる取付手段と、前記取付手段に取り付けられて太陽からの光を導入するための採光手段と、前記採光手段からの光をその内面で反射させながら所定方向へ導くための筒状の導光手段と、前記導光手段により導かれた光を屋内に照射するための照射手段と、前記屋根に取り付けられる覆手段と、を備え、前記覆手段は、前記屋根に固定される一対の支持部材と、前記一対の支持部材に掛け渡されて支持されるカバー手段と、を備え、前記一対の支持部材の各々は、略トップハット型断面を有し、前記カバー手段を下方から支持する上面部と、前記上面部の両側端部から下方に延びる一対の側面部と、前記一対の側面部の下端から外方に延びる一対の下面部と、を有し、前記上面部と前記一対の側面部により収容部が規定され、前記一対の支持部材の各々は、前記屋根に設けられた一対の山部の各々が前記収容部に収容されるように、前記一対の山部の各々に対応させて取り付けられることを特徴とする。
【００１６】
請求項８に記載の発明は、覆部材を屋根に形成された一対の山部に設置する覆部材設置方法であって、略Ｌ字状断面を有する一対の位置決め部材を前記一対の山部に固定させる工程と、前記一対の位置決め部材に支持プレート部材を掛け渡し、前記支持プレート部材を前記一対の位置決め部材に固定させる工程と、矩形状且つ平板状に構成されたパネル部材を前記支持プレート部材に固定させる工程と、を備え、前記山部の頂部に突出部が形成されている場合には、略トップハット型断面を有する支持部材を前記山部の頂部に装着させた後に、前記位置決め部材を前記支持部材を介して前記山部に固定させ、前記山部の頂部に突出部が形成されていない場合には、前記位置決め部材を前記山部に載置して固定させることを特徴とする。
【００１７】
請求項９に記載の発明は採光装置であって、屋根に取り付けられる取付手段と、前記取付手段に取り付けられて太陽からの光を導入するための採光手段と、前記採光手段からの光をその内面で反射させながら所定方向へ導くための筒状の導光手段と、前記導光手段により導かれた光を屋内に照射するための照射手段と、を備え、前記導光手段は、筒状部材と、筒状部材の一端側開口部を封止する網入りガラス枠と、を備えることを特徴とする。
【００１８】
請求項１０に記載の発明は採光装置であって、屋根に取り付けられる取付手段と、前記取付手段に取り付けられて太陽からの光を導入するための採光手段と、前記採光手段からの光をその内面で反射させながら所定方向へ導くための筒状の導光手段と、前記導光手段により導かれた光を屋内に照射するための照射手段と、を備え、前記取付手段は、導光手段を挿通させるための挿通孔が形成されたベース部と、前記挿通孔の周縁部から起立する支持部と、を備え、前記導光手段は、筒状部材と、前記支持部に装着可能に構成されたキャップ状のアダプタ部材と、を備え、前記アダプタ部材は平板状の天板を有し、前記天板には円形状の開口部が形成され、前記筒状部材は前記天板の前記開口部に挿通された状態で前記アダプタ部材に固定支持されていることを特徴とする。
【発明の効果】
【００１９】
本発明の請求項１に記載の採光装置によれば、谷部を覆うカバー手段は、一対の山部に掛け渡された一対の支持部材の間に掛け渡され、各支持部材は略トップハット型断面を有するため、山部の種類や形状等に拘わらずカバー部材を安定的に支持することができると共に、蓋手段の設置手順を画一化し、設置効率を向上できる。
【００２０】
本発明の請求項２に記載の採光装置によれば、山部の頂部から突出する突出部が支持部材の収容部に収容されるため、突出部に拘わらずカバー部材を安定的に支持することができる。
【００２１】
本発明の請求項３に記載の採光装置によれば、支持プレート部材は、その両側端部が一対の位置決め部材の位置決め部に当接されて位置決めされるため、支持プレート部材の設置を正確に行うことができる。
【００２２】
本発明の請求項４に記載の採光装置によれば、支持部材は、第１螺着部材が内側底面部を通して山部に螺着されることにより山部に固定されるので、第１螺着部材からの雨水の浸入を防止できる。また、第２螺着部材は支持プレート部材及び位置決め部材を通して上面部に螺着されるので、第２螺着部材を介した雨水の浸入を防止できる。
【００２３】
本発明の請求項５に記載の採光装置によれば、支持プレート部材には略平行に延びる凹部及び突出部が交互に形成されているので、支持プレート部材を軽量化することができると共にその支持強度を高めることができる。従って、作業員がパネル部材の上に乗るなどした際に、パネル部材が下方に撓んで変形することがなく、パネル部材の材質を剛性の低い金属にする、あるいはパネル部材の厚みを小さくするなどして、パネル部材の重量を小さくすることができる。
【００２４】
本発明の請求項６に記載の採光装置によれば、パネル部材のカバー部はばたつき防止部材を介して山部に固定されるので、パネル部材を屋根に安定して取り付けることができると共に、風切り音の発生を防止できる。また、カバー部は、第３螺着部材がばたつき防止部材の上方部位を通して山部に螺着されて山部に固定され、第４螺着部材がカバー部を通して断面略コ字型に形成された下方部位の固定部に螺着されるので、山部に螺着される第３螺着部材は、パネル部と山部とばたつき防止部材により仕切られた内部空間に位置することとなると共に、当該内部空間への雨水の浸入を予防でき、雨漏りの原因を排除できる。
【００２５】
本発明の請求項７に記載の採光装置によれば、各支持部材は略トップハット型断面を有するため、山部の種類や形状等に拘わらずカバー部材を安定的に支持することができると共に、蓋手段の設置手順を画一化し、設置効率を向上できる。
【００２６】
本発明の請求項８に記載の覆部材設置方法によれば、山部の頂部に突出部が形成されている場合には、略トップハット型断面を有する支持部材を山部の頂部に装着させた後に、位置決め部材を支持部材を介して山部に固定させ、山部の頂部に突出部が形成されていない場合には、位置決め部材を山部に載置して固定させるので、突出部の有無に応じて支持部材の使用／不使用を変えるだけで、その他の部材及び手順については共通化することができ、蓋部材の設置作業を容易にできる。
【００２７】
本発明の請求項９に記載の採光装置によれば、筒状部材の一端側開口部を封止する網入りガラス枠を備えるので、防火性・耐火性に優れた採光装置を提供できる。
【００２８】
本発明の請求項１０に記載の採光装置によれば、筒状部材は天板の開口部に挿通された状態でアダプタ部材に固定支持され、アダプタ部材は取付手段の支持部に装着可能に構成されているので、アダプタ部材を取付手段の支持部に装着させるだけで、容易に筒状部材を取付手段に装着させることができ、採光装置全体の設置工程を簡素化できる。
【図面の簡単な説明】
【００２９】
【図１】本発明の第１実施形態に係る採光装置が屋根に取り付けられた状態を示す斜視図。
【図２】図１の採光装置が備える本体部分の分解斜視図。
【図３】図１の採光装置が備える蓋部材の分解斜視図。
【図４】図１のＩＶ―ＩＶ線断面図。
【図５】図３に示す蓋部材が備える支持部材を示す斜視図。
【図６】図４の要部拡大図。
【図７】波板屋根に設置された支持部材を示す断面図。
【図８】瓦棒屋根に設置された支持部材を示す断面図。
【図９】図８に示す瓦棒屋根に支持部材を介さずに設置された位置決め部材を示す断面図。
【図１０】本発明の第２実施形態に係る採光装置が備える導光手段を示す一部切欠き斜視図。
【図１１】図１０に示す導光手段の断面図。
【図１２】本発明の第３実施形態に係る採光装置が備える導光手段及び取付手段を示す斜視図。
【図１３】支持部材の変形例を示す断面図。
【図１４】本発明の各実施形態において用いることのできるアダプタ部材を示す斜視図。
【発明を実施するための形態】
【００３０】
［第１実施形態］
以下、添付図面を参照して、本発明の第１実施形態に係る採光装置について説明する。図１を参照して、図示の採光装置１は、建物の屋根Ｒに設置され、太陽からの光を屋内へ導入して屋内を照らすためのものであり、ここでは屋根Ｒとしてハゼ式折板屋根を例に説明する。  
【００３１】
屋根Ｒ（折板屋根）は、上下に間隔を置いて配設された上側折板屋根材Ｒ１及び下側折板屋根材Ｒ２と、これらの間に配設された例えばウレタン等の断熱材Ｒ３とを備えて構成されている。上側折板屋根材Ｒ１には、略平行に延びる山部Ｒ１１及び谷部Ｒ１２が交互に形成され、これら山部Ｒ１１及び谷部Ｒ１２は、屋根Ｒの水上側から水下側に向けて延設されている。上側折板屋根材Ｒ１は左右方向に複数設けられ、ハゼ継ぎ部Ｒ１３で相互にハゼ継ぎされて連結されている。ハゼ継ぎ部Ｒ１３は上側折板屋根材Ｒ１の山部Ｒ１１の上端部に設けられている。下側折板屋根材Ｒ２も上側折板屋根材Ｒ１と同様に構成され、左右方向に隣接する下側折板屋根材Ｒ２同士が連結されている。この屋根Ｒにおいては、図４に示すように、下側折板屋根材Ｒ２は梁Ｂに支持された下タイトフレームＦ１に敷設されて固定され、上側折板屋根材Ｒ１は下側折板屋根材Ｒ２に支持された上タイトフレームＦ２に施設されて固定されている。
【００３２】
このように構成された屋根Ｒに設置される採光装置１は、図１〜図３に示すように、太陽からの光を導入するための採光手段２と、採光手段２からの光をその内面で反射させながら所定方向に導くための筒状の導光手段３と、導光手段３により導かれた光を屋内に照射するための照射手段４と、屋根Ｒに取り付けられる取付手段５と、取付手段５の水上側及び水下側に隣接して取り付けられる複数の覆部材６（覆手段；図面には１の覆部材６のみ示す）と、を備えている。なお、採光手段２と、導光手段３と、照射手段４と、取付手段５により、採光装置１の本体部分が構成される。
【００３３】
図２に示す様に、採光手段２は、透明のドーム部材２１と、ドーム部材２１の内周面に配設された集光反射板２２と、を備える。ドーム部材２１は略半球面状に構成され、その開口部には、径方向外側に幾分拡大された段差部２３が設けられている。
【００３４】
導光手段３は、上下に延びる円筒状の筒状部材３１から構成されている。筒状部材３１の内面には反射面３２が形成され、筒状部材３１の上端部にはドーム部材２１の段差部２３を支持するための固定用リング３４が取り付けられている。照射手段４は略半球状の拡散カバー部材４１から構成され、筒状部材３１の下端部における開口部を覆うようにして装着されている。
【００３５】
取付手段５は、ベース部５１と、支持部５２と、カバー部材５６と、を有する。ベース部５１は矩形状且つ平板状に構成され、その中央には円形状の貫通孔５１ａが形成されている。また、ベース部５１の両側端部にはそれぞれ、外側斜め下方に延びる帯状のカバー部５５が設けられている。
【００３６】
支持部５２は円筒状に形成され、ベース部５１の貫通孔５１ａに対応して取り付けられている。カバー部材５６は、ベース部５１の下面における貫通孔５１ａに対応する部位に取り付けられている。カバー部材５６は断面矩形状に構成され、その上端部には、径方向外側に延びる固定部５７が設けられ、その下端部には筒状部材３１を挿通するための円形状の挿通用開口部５６ａが形成されている。
【００３７】
図３及び図４に示すように、覆部材６は、一対の山部Ｒ１１，Ｒ１１に支持される一対の支持部材７，７と、一対の支持部材７，７に掛け渡されて谷部Ｒ１２を上方から覆うカバー手段６０と、を備え、カバー手段６０は、一対の支持部材７，７に固定された一対の位置決め部材８，８と、一対の位置決め部材８，８に固定される複数（図３の例では２個）の支持プレート部材９と、支持プレート部材９に支持されるパネル部材１０と、パネル部材１０に固定される一対のばたつき防止部材１２，１２と、を有する。
【００３８】
一対の支持部材７，７の各々は、図５に示す様に略トップハット型断面を有し、軒棟方向に沿って伸延する長尺平板状に形成された上面部７１と、上面部７１の両側端部から下方に延びる一対の側面部７２，７２と、一対の側面部７２，７２の下端から外方に延びる一対の下面部７３，７３と、を有し、上面部７１と一対の側面部７２，７２により収容部７４が規定されている。このように構成された支持部材７は、図４に示す様に、屋根Ｒの山部Ｒ１１に設けられたハゼ継ぎ部Ｒ１３が収容部７４に収容されるように設置され、一方の下面部７３が屋根Ｒに固定される。ここで、このように支持部材７を山部Ｒ１１に載置した状態において、内側（他方の山部Ｒ１１に近い側）の下面部７３を特に内側下面部７３ａとし、外側（他方の山部Ｒから遠い側）の下面部７３を特に外側下面部７３ｂとする。
【００３９】
図３及び図４を参照して、位置決め部材８は断面略Ｌ字状に形成され、支持部材７の上面部７１によって下方から支持される長尺平板状の支持部８１と、支持部８１の外側端部から上方に延出する位置決め部８２と、を有する。
【００４０】
支持プレート部材９は断面矩形波状に形成され、略平行に延びる凹部９１及び凸部９２が交互に形成されている。支持プレート部材９は例えば鋼板等の金属から形成され、凹部９１及び凸部９２が上側折板屋根材Ｒ１の山部Ｒ１１及び谷部Ｒ１２の延設方向に対して略垂直に延びるようにして、一対の位置決め部材８，８の間に架け渡される。棟軒方向における各支持プレート部材９の長さ寸法は、支持部材７、位置決め部材８、及びパネル部材１０の長さ寸法よりも短く設定され、複数の支持プレート部材９が棟軒方向に配列されて設置される。パネル部材１０は矩形状且つ平板状に構成され、パネル部材１０の両側端部にはそれぞれ外側斜め下方に延びる帯状のパネル部材１０ａ，１０ａが設けられ、各パネル部材１０ａの下端部は内側に折り返されて曲げ部１０ｂを構成している。このようにパネル部材１０ａの下端部に曲げ部１０ｂを設けることにより、パネル部材１０ａの強度が強化される。なお、パネル部材１０の本体部に対するパネル部材１０ａの折り曲げ角度θ（図６参照）は、１０５度〜１１５度であるのが好ましく、実質１１０度とするのが好ましい。このような角度とすることにより、種々の屋根形状に容易に対応できる。
【００４１】
ばたつき防止部材１２は、パネル部材１０のパネル部材１０ａと上側折板屋根材Ｒ１の山部Ｒ１１の間に配置され、山部Ｒ１１の外側面に固定される長尺状の上側固定部１２ａと、パネル部材１０ａに固定される長尺状の下側固定部１２ｂと、上側固定部１２ａの下側端と下側固定部１２ｂの上側端とを連結する連結部１２ｃと、下側固定部１２ｂの下側端から山部Ｒ１１側に向かって延出する底面部１２ｄと、を有する。ここで、上側固定部１２ａがばたつき防止部材１２の上方部位を構成し、下側固定部１２ｂ、連結部１２ｃ、及び底面部１２ｄが断面略コ字型の下方部位を構成する。
【００４２】
このようなばたつき防止部材１２を設けることにより、パネル部材１０のパネル部材１０ａがばたつき防止部材１２介して屋根Ｒに固定され、例えば強風による風圧でパネル部材１０ａがばたつくのを防止することができ、パネル部材１０を屋根Ｒに安定して取り付けることができると共に、風切り音の発生を防止できる。
【００４３】
このように構成された採光装置１は次のようにして設置される。まず、図２を参照して、屋根Ｒの所定部位（本実施形態では、上側折板屋根材Ｒ１の隣接する一対の山部Ｒ１１及びその間の谷部Ｒ１２に対応する部位）に、取付手段５のカバー部材５６に対応した大きさの貫通孔Ｒ７を略矩形状に穿設する。
【００４４】
次に、覆部材６の各部材を次のようにして屋根Ｒに取り付ける。図６をも参照して、まず、一対の支持部材７，７を屋根Ｒの一対の山部Ｒ１１，Ｒ１１に装着させる。このとき各支持部材７は、上述したようにハゼ継ぎ部Ｒ１３（突出部）が収容部７４に収容されるように山部Ｒ１１に載置される。この状態において、取付ネジＳ１を内側下面部７３ａ及び上側折板屋根材Ｒ１（山部Ｒ１１）を通して上タイトフレームＦ２に螺着させ、支持部材７を上側折板屋根材Ｒ１及び上タイトフレームＦ２に固定させる。なお、図６に示す様に、支持部材７と山部Ｒ１１の間には、例えばブチルゴム等のゴム部材Ｇ１を介在させるのが好ましい。
【００４５】
次に、各支持部材７に位置決め部材８を設置する。より具体的に、位置決め部材８の支持部８１を支持部材７の上面部７１に載置する。このとき、位置決め部材８の支持部８１と支持部材７の上面部７１の間には、例えばブチルゴム等のゴム部材Ｇ２を介在させるのが好ましい。
【００４６】
次に、各支持プレート部材９を一対の位置決め部材８，８の間に掛け渡すようにして設置する。このとき支持プレート部材９は、その両側側端部が位置決め部材８，８の位置決め部８２に当接されて位置決めされ、また位置決め部８２の長さ寸法は支持プレート部材９の長さ寸法よりも長く設定されているので、複数の支持プレート部材９の位置決めを効率良く行うことができる。この状態で取付ネジＳ２を内側底面部７３ａ及び上側折板屋根材Ｒ１（山部Ｒ１１）を通して上タイトフレームＦ２に螺着させると共に、取付ネジＳ３を支持プレート部材９の凹部９１と位置決め部材８の支持部８１を通して支持部材７の上面部７１に螺着させる。これにより、支持プレート部材９と、位置決め部材８と、支持部材６と、屋根Ｒとが相互に固定される。
【００４７】
また、取付ネジＳ４をばたつき防止部材１２の上側固定部１２ａを通して山部Ｒ１１の外側面に螺着させ、ばたつき防止部材１２を屋根Ｒに固定する。上側固定部１２ａと山部Ｒ１１との間には、例えばブチルゴム等のゴム部材Ｇ３を介在させることが好ましい。
【００４８】
残りの覆部材６についても上述したのと同様に取り付けた後に、取付手段５のカバー部材５６を貫通孔Ｒ７に上方より挿入し、カバー部材５６の固定部５７を貫通孔Ｒ７の左右側縁部及び水下側及び水下側に位置する一対の支持プレート部材９に支持させる。このとき、カバー部材５６は、上側折板屋根材Ｒ１、断熱材Ｒ３、及び下側折板屋根材Ｒ２を貫通して配設され、その下端部は屋内に突出する。
【００４９】
その後、各覆部材６のパネル部材１０と取付手段５のベース部５１とを水下側から順に次の様にして取り付けていく。
【００５０】
まず、屋根Ｒに穿設された貫通孔Ｒ７よりも水下側に位置する覆部材６について、支持プレート部材９を上方より覆うようにしてパネル部材１０を配設し、取付ネジ（図示せず）をパネル部材１０を通して支持プレート部材９に螺着させる。これによりパネル部材１０は支持プレート部材９によって下方より支持された状態で屋根Ｒに取り付けられる。そして、取付ネジＳ５をパネル部材１０のパネル部材１０ａを通してばたつき防止部材１２の下側固定部１２ｂに螺着させ、パネル部材１０ａをばたつき防止部材１２を介して屋根Ｒに固定する。
【００５１】
次に、取付手段５のベース部５１をカバー部材５６に載置し、取付ネジ（図示せず）をベース部５１及びカバー部材５６の固定部５７を通して山部Ｒ１１に螺着する。これにより、取付手段５が屋根Ｒに取り付けられる。その後、ベース部５１のカバー部５５，５５を内側に折り曲げ、その先端部を山部Ｒ１１，Ｒ１１の外側面に近接させる。
【００５２】
次に、取付手段５よりも水上側に位置する覆部材６について、取付手段５よりも水下側に位置する覆部材６と同様にして、パネル部材１０を設置していく。
【００５３】
ここで、隣接するパネル部材１０同士又は隣接するパネル部材１０とベース部５１については、部分的に重ねて配設させるのが好ましい。このとき、水下側に位置するパネル部材１０又はベース部５１の水上側部位の上側に、水上側に位置するベース部材５１又はパネル部材１０の水下側部位を重ね合わせるようにし、両者をブチル両面テープ等で接着させると共に、取付ネジを水上側のベース部材５１又はパネル部材１０とブチル両面ゴムに挿通させて水下側のパネル部材１０又はベース部材５１に螺着させて固定させる。なお、ブチル両面テープはパネル部材１０の幅方向（左右方向）全体に亘って配設させるのが好ましく、またブチル両面テープの水上側及び水下側に幅方向全体に亘ってコーキングを塗布することにより、重ね合わせたパネル部材１０同士又は隣接するパネル部材１０とベース部５１との間に形成される隙間を埋めておくのが更に好ましい。
【００５４】
更に、パネル部材１０又はベース部材５１において、取付ネジが挿通される箇所が他の部分よりも幾分上方に突出するエンボス部を設けるのが好ましい。このようにエンボス部を設けることにより、雨水が取付ネジの挿通箇所を介して浸入するのを効果的に防止できる。  
【００５５】
その後、拡散カバー部材４１が装着された筒状部材３１を取付手段５の支持部５２及びカバー部材５６の挿通用開口部５６ａを通して上方より挿入し、固定用リング３４を支持部５２の上端に装着する。その後、ドーム部材２１を固定用リング３４に装着し、取付ネジ（図示せず）により両者を固定する。
【００５６】
このように、本実施形態によれば、屋根Ｒの隣接する一対の山部Ｒ１１の間には、パネル部材１０を下方より支持するための支持プレート部材９が架け渡されて設置され、支持プレート部材９には、略平行に延びる凹部９１及び凸部９２が交互に形成されているので、支持プレート部材９を軽量化することができるとともにその支持強度を高めることができる。従って、作業員がパネル部材１０の上に乗るなどした際に、パネル部材１０が下方に撓んで変形することがなく、パネル部材１０の材質を剛性の低い金属にする、あるいはパネル部材１０の厚みを小さくするなどして、パネル部材１０の重量を小さくすることができる。これにより、パネル部材１０を容易に運搬することができ、採光装置１の施工を容易に行うことができる。また、蓋部材６全体の長さよりも短く形成された支持プレート部材９を複数個使用する構成としているので、個々の支持プレート部材９の重量を軽くすることができ、支持プレート部材９の取扱や運搬を容易にできる。
【００５７】
また、屋根Ｒに形成された山部Ｒ１１には、ハゼ継ぎ部Ｒ１３（突出部）を覆うようにしてトップハット型の支持部材７が載置されるので、ハゼ継ぎ部Ｒ１３に拘わらず、支持プレート部材９を安定的に支持することができる。また、支持部材７は略トップハット型断面を有するシンプルな構成であるため、複雑形状を有する部材を用いる必要がない。
【００５８】
更に、支持プレート部材９を固定するための取付ネジＳ２，Ｓ３のうち、ハゼ継ぎ部Ｒ１３よりも内側に位置する取付ネジＳ２のみが上側折板屋根材Ｒ１に螺着され、取付ネジＳ３については上側折板屋根材Ｒ１を挿通することなく支持部材７に螺着され、また上側折板屋根材Ｒ１に螺着される取付ネジＳ１についても、ハゼ継ぎ部Ｒ１３よりも内側に位置している。このように、取付ネジＳ１及びＳ２を、より内側の位置にて上側折板屋根材Ｒ１に螺着させることにより、取付ネジＳ１，Ｓ２部分を介した雨水の浸入をより効果的に防止することができる。なお、取付ネジＳ１，Ｓ２，Ｓ３の取付を容易にするため、図６に示す様に、収容部７４にハゼ継ぎ部Ｒ１３を収容させた状態で支持部材７をなるべく外側へ（他方の支持部材７から離間する方向へ）偏倚させて配設するのが好ましい。
【００５９】
同様に、ばたつき防止部材１２は、その下側固定部１２ｃがパネル部材１０のパネル部材１０ａに固定され、これよりも上側（内側）に位置する上側固定部１２ａに挿通された取付ネジＳ４が山部Ｒ１１に螺着されるので、雨水は底面部１２ｄ及び連結部１２ｃにより遮られることとなり、取付ネジＳ４部分を介した雨水の浸入を効果的に防止できる。
【００６０】
なお、隣接するパネル部材１０同士を部分的に重ねて配設させる場合においては、水下側のパネル部材１０の重ねしろに位置する曲げ部１０ｂを取り除いておくのが好ましい。ここで、パネル部材１０と同様に、ベース部５１のカバー部５５の下端を内側に折り曲げて曲げ部を設けることもでき、この場合においてもパネル部材１０の水上側の重ねしろ部分においては、曲げ部を設けないようにするのが好ましい。
【００６１】
以上、採光装置１をハゼ式折板屋根に設置する場合を例に説明したが、本実施形態に係る採光装置１は、ハゼ式折板屋根に限らず、重ね式折板屋根や波板屋根、瓦棒屋根等、種々の屋根に設置することができる。
【００６２】
例えば、採光装置１を波板屋根に設置する際における覆部材６の設置については次の通りである。図７に示すように、波板屋根Ｗは、母屋Ａに係止されたフックボルトＢと、フックボルトＢの上端部Ｂａに螺着されたナットＮと、フックボルトＢを介して母屋Ａに係止された屋根材Ｗ１と、を備える。屋根材Ｗ１には複数の山部Ｗ１１が形成されており、フックボルトＢの上端部Ｂａ（突出部）は山部Ｗ１１の頂部を貫通して屋根材Ｗ１の上側に突出している。
【００６３】
このように構成された波板屋根Ｗに覆部材６を設置する場合には、上述したのと同様にして、フックボルトＢの上端部Ｂａ（突出部）を収容部７４に収容するようにして支持部材７を屋根材Ｗ１の山部Ｗ１１に載置し、取付ネジＳ１を内側下面部７３ａを通して屋根材Ｗ１に螺着させる。その後、他方の支持部材７も同様にして設置し、上述したのと同様の手順でカバー手段６０（即ち、一対の位置決め部材８，８、複数の支持プレート部材９、パネル部材１０、及び一対のばたつき防止部材１２，１２）を取り付ければ良い。
【００６４】
また、採光装置１を瓦棒屋根に設置する際における覆部材６の設置については次の通りである。図８に示す様に、瓦棒屋根Ｋは複数の瓦棒Ｋ１１（図８には１の瓦棒Ｋ１１のみ示す）を有し、各瓦棒Ｋ１１は、垂木Ｃ１に対応させて心木Ｋ１を設置し、隣接する心木Ｋ１の間に上向きコ字状の溝板Ｋ２を設置し、芯木Ｋ２の上から下向きコ字型のキャップＫ３を被せることにより構成される。
【００６５】
このような構成を有する瓦棒屋根Ｋに覆部材６を設置する場合には、瓦棒Ｋ１１を収容部７４に収容するようにして支持部材７を溝板Ｋ２に載置し、取付ネジＳ１を内側下面部７３ａを通して溝板Ｋ２に螺着させる。その後、他方の支持部材７も同様にして設置し、上述したのと同様の手順でカバー手段６０を取り付ければ良い。なお、この場合には瓦棒Ｋ１１が山部を構成する。
【００６６】
このように、本実施形態における採光装置１によれば、採光装置１を設置する屋根に設けられた山部の形状が異なる場合であっても、同一の手順にて覆部材６を設置することができる。即ち、屋根の山部の形状や種類、大きさ等に応じて構成の異なる覆部材を使い分ける必要がなく、覆部材の設置手順を画一化でき、作業効率を工場できる。仮に、大きさや種類の異なる山部を有する屋根について、共通の覆部材を用いることができない場合であっても、覆部材６を構成する個々の部材の寸法のみを変えることで、これらの屋根に対応することが可能であり、覆部材６を構成する個々の部材やその形状、ひいては基本的な設置手順までをも変える必要はない。
【００６７】
なお、図８の例では山部としての瓦棒１１全体を収容部７４に収容するようにして支持部材７を溝板Ｋ２に載置したが、瓦棒１１が比較的幅広な場合等においては、支持部材７を瓦棒１１の上面に載置させて設置することもできる。
【００６８】
また、瓦棒Ｋ１１のように、山部の頂部から突出する突出部がない場合には、図９に示す様に、支持部材７を省略して位置決め部材８を山部（例えば、瓦棒Ｋ１１）に直接載置させることもできる。この場合であっても、支持部材７の使用を省略するだけであるから、施工方法が大きく変わる訳ではなく、効率的な施工が可能である。
【００６９】
［第２実施形態］
次に、本発明の第２実施形態に係る採光装置について説明する。本実施形態に係る採光装置は、上述した第１実施形態に係る採光装置１と略同一の構成を有するが、図２に示す導光手段３に代えて、図１０に示す導光手段３Ａを備える点で異なる。導光手段３Ａにおいては、固定用リング３４に網入りガラス枠１４が係止され、網入りガラス枠１４の下方位置に格子枠部材１７が配置され、更に筒状部材３１の下方領域に照明手段１８が収容配置されている。
【００７０】
網入りガラス枠１４は、円盤状の網入りガラス部材１５と、網入りガラス部材１５を固定支持するための鉄枠部材１６とを備える。網入りガラス部材１５の厚みは例えば６．８ｍｍ程度であるのが好ましい。鉄枠部材１６は、網入りガラス部材１５の周縁部に設けられた筒状部１６ａと、筒状部１６ａの開口部上端から径方向外側に拡大されたフランジ部１６ｂとを備える。このように構成された網入りガラス枠１４は、図１１に示す様に、網入りガラス部材１５及び鉄枠部材１６の筒状部１６ａが筒状部材３１の内部に収容されるようにして、鉄枠部材１６のフランジ部１６ｂが固定用リング３４の上面に載置されて設置される。このとき、網入りガラス枠１４の熱膨張を考慮して、筒状部１６ａの外周面と筒状部材３１の内周面の間に隙間を設けておくのが好ましい。
【００７１】
このように、導光手段３Ａに網入りガラス枠１４を設けることにより、筒状部材３１の上部開口部（一端側開口部）が網入りガラス枠１４により封止され、火災発生時において導光手段３Ａが煙突の役割を果たして炎が一気に広がるのを防止でき、防火性・対火性に優れた採光装置を提供できる。また、網入りガラス部材１４は、筒状部材３１に一部を収容させるようにして固定用リング３４に載置させるだけで設置できるので、網入りガラス部材１４の取付を極めて容易に行うことができる。
【００７２】
なお、鉄枠部材１６のフランジ部１６ｂの直径は、固定用リング３４の直径よりも小さく形成されているのが好ましい。このように構成することにより、フランジ部１６ｂにより固定用リング３４の外周部に設けられた空気流入用凹部３４ａが塞がれてしまうのを防止できる。
【００７３】
格子枠部材１７は、平面視十字状に形成された鉄製の棒状部材から構成され、網入りガラス枠１４の下方位置に設置される。格子枠部材１７は網入りガラス枠１４の鉄枠部材１６に溶接等によって固定されてもよく、或いはネジ等の固定手段（図示せず）により筒状部材３１に固定支持されてもよい。このような格子枠部材１７を設けることにより、例えば劣化した採光手段２の上に人が載る等して採光手段２が破損した場合であっても、格子枠部材１７により屋内へ人が落下するのを防止でき、安全性を確保することができる。また、筒状部材３４を介して外部から人が不法に侵入するのを防止でき、セキュリティを向上できる。即ち、採光装置により屋内へ導入される光の量は、採光手段２及び筒状部材３１の直径に比例して多くなり、より照度を上げるために採光手段２及び筒状部材３１が大径化する傾向にある。そして筒状部材３１がある程度まで大型化すると、筒状部材３１を人が通り抜けられるようになり、人の転落事故や採光装置を介した不法侵入等の懸念が生じるが、格子枠部材１７を設けて人の通り抜けを不能にすることで、このような問題を解決できる。なお、格子枠部材１７は、必ずしも十字状に形成されている必要はなく、格子状等、他の形状に構成されても良い。
【００７４】
照明手段１８は、電球型蛍光灯やＬＥＤ電球などの発光手段１８ａと、発光手段１８ａを支持する支持部材１８ｂと、を備える。発光手段１８ａは、図示しないリード線を介した電力供給を受けて発光する。また、支持部材１８ｂは、例えば図示しないワイヤにより固定用リング３４から吊り下げられる等して支持されている。このように照明手段１８を設けることにより、雨天時や夜間などにおいて太陽からの光の照度が低下して屋内が暗くなったときには、照明手段１８からの光によって屋内を照明することができる。また、照明手段１８は導光手段３Ａの筒状部材３１の内部に収容されて配置されているので、予め照明手段１８が取り付けられた導光手段３Ａを、図２に示すのと同様にして、上方から取付手段５の支持部５２及びカバー部材５６に挿入して装着させることができる。即ち、予め設置された採光装置に対して、屋内側から照明手段１８を後付けする必要がないので、屋内に作業スペースを確保する必要も足場を設置する必要性も生じず、設置工程を簡素化できる。
【００７５】
［第３実施形態］
次に、本発明の第３実施形態に係る採光装置について説明する。本実施形態に係る採光装置は、上述した第１実施形態に係る採光装置１と略同一の構成を有するが、図２に示す導光手段３及び取付手段５に代えて、図１２に示す導光手段３Ｂ及び取付手段５Ｂを備える点で異なる。
【００７６】
導光手段３Ｂは、上述した筒状部材３１を固定支持するアダプタ部材１９を更に備える。アダプタ部材１９は、平板状の天板１９ａと、天板１９ａの側縁から下方に垂下する４枚の側板１９ｂと、を備え、下方が開放されたキャップ状に構成されている。また、天板１９ａの中央部位には円形状の開口部１９ｃが形成され、天板１９ａの上面には開口部１９ｃに対応して円筒状の支持部１９ｄが設けられている。筒状部材３１は、アダプタ部材１９の開口部１９ｃに上方から挿通され、その上方部位がアダプタ部材１９の支持部１９ｄに固定されて支持される。
【００７７】
取付手段５Ｂは、ベース部５１Ｂと、支持部５２Ｂと、カバー部材５６（図１参照）と、を有する。ベース部５１Ｂは矩形状且つ平板状に構成され、その中央には矩形状の貫通孔５１ａＢが形成されている。また、ベース部５１Ｂの両側端部にはそれぞれ、外側斜め下方に延びる帯状のカバー部５５が設けられ、カバー部５５の下端は内側に折り返されている。支持部５２Ｂは横断面矩形状を有する角筒状に形成されて、ベース部５１Ｂの貫通孔５１ａＢの周縁部から起立して設けられている。また、支持部５２Ｂの上端には外側に拡径されたフランジ部５２Ｃが設けられ、フランジ部５２Ｃの外縁部は下方に折り曲げられて接続部５２Ｄを構成している。
【００７８】
このように構成された採光装置においては、取付手段５Ｂが上述した取付手段５と同様にして設置された後に、アダプタ部材１９に予め固定支持された筒状部材３１を取付手段５Ｂの貫通孔５１ａＢに挿通し、アダプタ部材１９を支持部５２Ｂに被せるようにして設置する。この状態でアダプタ部材１９の支持部１９ｄと支持部５２Ｂの接続部５２Ｄとをビス等の固定手段（図示せず）を用いて固定すればよい。
【００７９】
採光装置をこのような構成とすることで、異なる径の採光手段２及び筒状部材３１を用いた場合であっても、取付手段５Ｂのベース部５１Ｂを共通に用いることができる。また、このような導光手段３Ｂは、予め工場等において製造・組立てておくことで、施工現場では屋根上から設置するだけで済み、施工現場において複雑な組立作業をする必要がなく、施工をスムーズに行うことができる。更に、支持部５２Ｂの上端に外側に拡径されたフランジ部５２Ｃを設け、このフランジ部位５２Ｃの外縁部を下方に折り曲げて接続部５２Ｄを形成しているので、支持部５２Ｂの周縁部からの雨水等の浸入を効果的に防止できる。
【００８０】
以上、本発明の実施形態に係る採光装置について添付の図面を参照して説明したが、本発明はかかる実施形態に限定されず、本発明の範囲を逸脱することなく種々の変形乃至修正が可能である。
【００８１】
例えば、ハットパネル型の支持部材７において、側面部７２に対する下面部７３の角度は、図５及び図６に示す様に垂直である必要はなく、支持部材７が載置される山部の形状に応じた角度となるよう、図１３に示す様に斜め下方に延びるようにしてもよい。
【００８２】
また、図１２に示す第３実施形態においても、第２実施形態で用いたのと同様に網入りガラス枠１４、格子枠部材１７、及び／又は照明手段１８を採用しても良い。更に、図１２に示す様に、導光手段３Ｂと蓋部材１９Ｂを選択的に取付部材５Ｂに取り付ける様にしてもよい。このように導光手段３Ｂに代えて蓋部材１９Ｂを取り付けておけば、太陽光が不必要に屋内に照射されるのを防止することができると共に、必要な際には蓋部材１９Ｂに代えて導光手段３Ｂ（及び採光手段２，照射手段４）を容易に設置できる。
【００８３】
図１２に示す第３実施形態においては、支持部５２Ｂの水上側側面が屋根材Ｒ１の山部Ｒ１１（図１参照）に対して垂直となるように構成されているが、支持部５２Ｂの水上側側面を山部Ｒ１１に対して傾斜するように構成してもよい。このように支持部５２Ｂの水上側側面を傾斜させることにより、水上側から流れてきた雨水等は支持部５２Ｂの水上側側面に沿って左右方向へ流れ、雨水が水上側側面部に溜まるのを防止できる。
【００８４】
また、より小径の導光手段３を用いる際には、図１４に示すアダプタ部材５８をカバー部材５６に装着させるように構成してもよい。アダプタ部材５８はカバー部材５６の内径に対応する大きさ及び形状を有する平板状の部材であって、中央部には貫通孔５１ａよりも小径の貫通孔５８ａが形成されており、この貫通孔５８ａに小径の導光手段が挿通される。このようなアダプタ部材５８を用いることにより、異なる径の導光手段３を有する採光装置についてもカバー部材５６を共通に用いることができる。
【符号の説明】
【００８５】
１  採光装置
２  採光手段
３，３Ａ，３Ｂ  導光手段
４  照射手段
５，５Ｂ  取付手段
６  覆部材（覆手段）
７  支持部材
８  位置決め部材
９  支持プレート部材
１０  パネル部材
１２  ばたつき防止部材
１４  網入りガラス枠
１７  格子枠部材
１８  照明手段
７４  収容部
Ｋ  屋根（瓦棒屋根）
Ｋ１１  瓦棒
Ｒ  屋根（折板屋根）
Ｒ１  上側折板屋根材
Ｒ１１  山部
Ｒ１２  谷部
Ｒ１３  ハゼ継ぎ部
Ｗ  屋根（波板屋根）
Ｗ１１  山部
【図１】
2015159001.tif 000003
【図２】
2015159001.tif 000004
【図３】
2015159001.tif 000005
【図４】
2015159001.tif 000006
【図５】
2015159001.tif 000007
【図６】
2015159001.tif 000008
【図７】
2015159001.tif 000009
【図８】
2015159001.tif 000010
【図９】
2015159001.tif 000011
【図１０】
2015159001.tif 000012
【図１１】
2015159001.tif 000013
【図１２】
2015159001.tif 000014
【図１３】
2015159001.tif 000015
【図１４】
2015159001.tif 000016